(57)【要約】【課題】粘着テープやステープルを用いることなく閉蓋状態を維持することができる包装箱を提供する。【解決手段】第１側板１と第２側板２とで形成された四角筒状の胴部３と、第１フラップ部７と第２フラップ部８とを備える。第１フラップ部７と第２フラップ部８とは互いに隣接する側縁同士が連結されている。第２フラップ部８は、一対の傾斜折目線ｅと、一対の切れ目ｆにより第２フラップ部８から遊離可能な差込片１０とを備える。第２側板２は、差込片１０が差し込み係止可能となる係止孔５を備える。第２フラップ部８の差込片１０と傾斜折目線ｅとの間の領域に、第２側板２の外側面に当接する当接部８ａが形成される。【選択図】図１
2019108163.tif 000002
【特許請求の範囲】
【請求項１】
互いに対向する一対の第１側板と、両第１側板の対向方向に直交する方向に互いに対向する一対の第２側板とで四角筒状の胴部が形成され、
前記第１側板の上縁に第１上縁折目線を介して連結された第１フラップ部と、前記第２側板の上縁に第２上縁折目線を介して連結された第２フラップ部とを備えて、第１フラップ部と第２フラップ部との互いに隣接する側縁同士がフラップ折目線を介して連結され、
前記第２フラップ部は、前記第２側板との境界に沿った下縁の両隅角部を始端として互いに交わる方向に延びる一対の傾斜折目線と、両傾斜折目線の間に位置して該第２フラップ部の上縁から下方に延びる一対の切れ目により該第２フラップ部から遊離可能な差込片とを備えて、前記胴部の外側に折り返して前記第２側板の外側面に重合可能に設けられ、
前記傾斜折目線の終端は、前記差込片を除く前記第２フラップ部の上縁に位置し、
前記第２側板は、前記第２側板の外側面に重合した状態で、前記差込片が差し込み係止可能となる係止孔を備え、
前記第２フラップ部の前記差込片と前記傾斜折目線との間の領域に、前記差込片が前記係止孔に差し込んだ状態で前記第２側板の外側面に当接する当接部が形成されることを特徴とする包装箱。
【発明の詳細な説明】
【技術分野】
【０００１】
本発明は、包装箱に関する。
【背景技術】
【０００２】
一般に、段ボール板紙によって形成される包装箱は、四角筒状の胴部の上縁に折目線を介して連設された４つのフラップにより閉蓋される。そして、この種の包装箱では、フラップによる閉蓋状態を維持するために、粘着テープやステープルが用いられる（例えば特許文献１参照）。
【０００３】
一方、生鮮野菜や青果物向けに天面の一部（中央部分）を開放した状態で閉蓋されるタイプの包装箱が知られている（例えば特許文献２参照）。
【０００４】
このものでは、フラップ同士が接触していない、或いは、接触していても僅かであるために、粘着テープやステープルを用いて閉蓋状態を維持することが困難である。
【先行技術文献】
【特許文献】
【０００５】
【特許文献１】特開２０００−１２８１４７号公報（図９）
【特許文献２】特開２００２−１６６９３０号公報
【発明の概要】
【発明が解決しようとする課題】
【０００６】
上記の点に鑑み、本発明は、粘着テープやステープルを用いることなく閉蓋状態を維持することができる包装箱を提供することを目的とする。
【課題を解決するための手段】
【０００７】
かかる目的を達成するために、本発明の包装箱は、互いに対向する一対の第１側板と、両第１側板の対向方向に直交する方向に互いに対向する一対の第２側板とで四角筒状の胴部が形成され、前記第１側板の上縁に第１上縁折目線を介して連結された第１フラップ部と、前記第２側板の上縁に第２上縁折目線を介して連結された第２フラップ部とを備えて、第１フラップ部と第２フラップ部との互いに隣接する側縁同士がフラップ折目線を介して連結され、前記第２フラップ部は、前記第２側板との境界に沿った下縁の両隅角部を始端として互いに交わる方向に延びる一対の傾斜折目線と、両傾斜折目線の間に位置して該第２フラップ部の上縁から下方に延びる一対の切れ目により該第２フラップ部から遊離可能な差込片とを備えて、前記胴部の外側に折り返して前記第２側板の外側面に重合可能に設けられ、前記傾斜折目線の終端は、前記差込片を除く前記第２フラップ部の上縁に位置し、前記第２側板は、前記第２側板の外側面に重合した状態で、前記差込片が差し込み係止可能となる係止孔を備え、前記第２フラップ部の前記差込片と前記傾斜折目線との間の領域に、前記差込片が前記係止孔に差し込んだ状態で前記第２側板の外側面に当接する当接部が形成されることを特徴とする。
【０００８】
上記の構成を有する本発明の包装箱の閉蓋は、先ず、第２フラップ部を第２上縁折目線に沿って胴部の外側に直角に折り曲げると同時に、第１上縁折目線に沿って両第１フラップ部を胴部の上面を覆うように折り曲げる。これにより、第２フラップ部の傾斜折目線が折れ曲がって、第２フラップ部が胴部の上縁から外側に水平に張り出した姿勢となる。次いで、重なり合っているフラップ折目線と第２上縁折目線とに沿って、第２フラップ部を第２側板の外面に重合するように折り曲げる。そして、第２フラップ部の差込片を第２側板の係止孔に差し込む。これにより、第２側板への第２フラップ部の重合状態が維持され、両第１フラップ部による閉蓋状態は維持される。このとき、差込片が差し込まれた係止孔の両側に、第２フラップ部に形成された当接部が当接することにより、係止孔を介して第２側板の内面に接する差込片と、第２側板の外面に接する当接部とで挟み込んだ状態が形成され、差込片が係止孔に差し込まれた状態が強固に維持される。
【０００９】
これにより、粘着テープやステープルを用いることなく閉蓋状態を維持することができる包装箱を提供することができる。
【図面の簡単な説明】
【００１０】
【図１】本発明の実施形態における包装箱の外観を示す斜視図。
【図２】図１の包装箱の展開図。
【図３】図１の包装箱の上部開放状態を示す説明図。
【図４】図１の包装箱の閉蓋作業の一部を示す説明図。
【発明を実施するための形態】
【００１１】
本発明の実施形態を図面に基づいて説明する。本実施形態の包装箱は、図１に示すように、前後方向に互に対向する一対の第１側板１と、左右方向に互に対向する一対の第２側板２とで四角筒状に形成された胴部３を備えている。胴部３の内部には図示しないが、被包装物として野菜や青果物等が収容される。
【００１２】
図１に示した包装箱は、図２に示す形状の展開状態に打ち抜かれた大略矩形状の段ボール板紙から組み立てられる。図２に示すように、展開状態の包装箱は、第１側板１と第２側板２とが胴部折目線ａを介して交互に連設されている。第１側板１は第２側板２よりも横長の長方形状に形成されている。
【００１３】
第１側板１には、被包装物の鮮度を維持するための複数の通気孔４が形成されている。また、第２側板２には、把持するために手指が挿入可能となる大きさに形成された取っ手孔５が形成されている。この取っ手孔５は、詳しくは後述するが、本発明の係止孔としての機能も有している。
【００１４】
更に一方の第２側板２（図２においては右端に位置する第２側板２）の側縁には胴部折目線ａを介して胴部接着片６が連結されている。
【００１５】
各第１側板１の上縁には第１上縁折目線ｂを介して第１天フラップ部７（第１フラップ部）が連結されている。各第２側板２の上縁には第２上縁折目線ｃを介して第２天フラップ部８（第２フラップ部）が連結されている。
【００１６】
そして、交互に配設された第１天フラップ部７と第２天フラップ部８とは、その隣接する側縁同士が、夫々フラップ折目線ｄを介して一体に連結されている。
【００１７】
なお、一方の第２天フラップ部８（図２においては右端に位置する第２天フラップ部８）の側縁にはフラップ折目線ｄを介してフラップ接着片９が連結されている。
【００１８】
第２天フラップ部８には、第２上縁折目線ｃ（第２側板２との境界に沿った下縁）の両隅角部を始端として第２上縁折目線ｃ（第２側板２との境界に沿った下縁）に対して４５°の角度（段ボール板紙の厚みのばらつき等により±１０％程度の範囲で誤差が生じる場合がある）をもって互いに交わる方向に延びる一対の傾斜折目線ｅが形成されている。
【００１９】
第２天フラップ部８の両傾斜折目線ｅ間には、差込片１０が形成されている。差込片１０は第２天フラップ部８に形成された一対の切れ目ｆ間に形成され、第２天フラップ部８から遊離自在となっている。また、差込片１０はその基端部に沿って形成された基端折目線ｇにより、第２天フラップ部８に対して折り曲げ可能となっている。
【００２０】
傾斜折目線ｅの終端は、差込片を除く第２天フラップ部８の上縁に位置する。後述するが、第２天フラップ部８の差込片１０は、第２側板２の取っ手孔５に差し込み可能であり、差込片１０を取っ手孔５に差し込むと、第２天フラップ部８における傾斜折目線ｅと差込片１０との間の領域が第２側板２の外面に当接する当接部８ａとなる。
【００２１】
各第１側板１の下縁には第１下縁折目線ｈを介して第１底フラップ部１１が連結されている。各第２側板２の下縁には第２下縁折目線ｉを介して第２底フラップ部１２が連結されている。
【００２２】
第１底フラップ部１１の先端（図中下端）の両側には一対の係止片１１ａが形成されている。第２底フラップ部１２には、第１底フラップ部１１の係止片１１ａを係止する切欠き１２ａが形成されている。
【００２３】
以上のように構成された包装箱の組み立て作業の一部を説明する。図示しないが、図２を参照して図３に示す状態の胴部３の組立を説明すると、胴部折目線ａに沿って折り曲げて第１側板１と第２側板２とで角筒状に形成し、胴部接着片６をその反対側の第１側板１に接着することにより胴部３を形成する。このとき更に、フラップ接着片９により両端に位置する第２天フラップ部８と第１天フラップ部７とを連結する。
【００２４】
そして、第２底フラップ部１２を第２下縁折目線ｉに沿って胴部３の底面側に折り曲げ、第１底フラップ部１１を第１下縁折目線ｈに沿って胴部３の底面側に折り曲げて第２底フラップ部１２に重合させる。そして、第１底フラップ部１１の係止片１１ａを第２底フラップ部１２の切欠き１２ａに差し込むことによって固定することで、胴部３の底部が閉塞される。これにより、包装箱は、図３に示すように、上部が開放された組み立て状態となる。
【００２５】
次に、包装箱の閉蓋作業についてその手順を説明する。図３に示す状態から、第２天フラップ部８を第２上縁折目線ｃに沿って胴部３の外側に第２側板２に対して直角に折り曲げる。これにより、図４に示すように、第１天フラップ部７が第１上縁折目線ｂに沿って胴部３の上面を覆う方向に倒れ、角部を形成していたフラップ折目線ｄが平坦になり、第２天フラップ部８の傾斜折目線ｅが折れ曲がって第２天フラップ部８の一部が三角形状となって重合する。
【００２６】
次いで、図４に示す状態から、第２天フラップ部８を、第２上縁折目線ｃ（及び第２上縁折目線ｃと重なるフラップ折目線ｄ）に沿って折り曲げて第２側板２の外面に重合させる。そして、差込片１０を取っ手孔５（係止孔）に差し込んで係止状態とする。これにより、包装箱は、図１に示す閉蓋状態となる。
【００２７】
このとき、差込片１０が差し込まれた状態の取っ手孔５の両側に位置する第２側板２の外側面には、第２天フラップ部８によって形成された当接部８ａが当接する。これにより、第２天フラップ部８が、差込片１０と当接部８ａとで第２側板２を挟み込んだ状態なり、閉蓋状態が強固に維持される。
【００２８】
また、閉蓋状態で包装箱を持ち上げる時には、取っ手孔５に手を差し込み、同時に差込片１０を基端折目線ｇを介して第２側板２の内面上方に折り返す。こうすることにより、差込片１０が取っ手孔５の上側内縁を包み込んで取っ手孔５が補強され、不用意な破断が生じない。更に、取っ手孔５の上側内縁が差込片１０の折り返しによって厚みを増し、持ち上げ時の作業者の手の負担を軽減させることができる。しかも、取っ手孔５の両側は第２天フラップ部８の当接部８ａが当接して第２側板２の膨出方向や凹入方向への歪みが防止されているため、持ち上げ時の包装箱前提の変形が防止されて、被包装物の損傷も防止することができる。
【符号の説明】
【００２９】
１…第１側板、２…第２側板、３…胴部、５…取っ手孔（係止孔）、７…第１天フラップ部（第１フラップ部）、８…第２天フラップ部（第２フラップ部）、８ａ…当接部、１０…差込片、ｂ…第１上縁折目線、ｃ…第２上縁折目線、ｄ…フラップ折目線、ｅ…傾斜折目線、ｆ…切れ目。
【図１】
2019108163.tif 000003
【図２】
2019108163.tif 000004
【図３】
2019108163.tif 000005
【図４】
2019108163.tif 000006